(57)【要約】      （修正有）【課題】原稿画像回転機能を有する画像形成装置において、ユーザーが所望しないような回転処理を行うことがない画像形成装置を提供する。【解決手段】コピー倍率も含んだ原稿画像の主走査方向の画素数、コピー倍率も含んだ原稿画像の副走査方向の画素数に係る情報を取得するＳｏｕｒｃｅ画像情報取得手段と、出力用紙サイズの主走査方向の画素数、出力用紙サイズの主走査方向の画素数に係る情報を取得するＤｅｓｔｉｎａｔｉｏｎ画像情報取得手段と、該Ｓｏｕｒｃｅ画像情報取得手段及びＤｅｓｔｉｎａｔｉｏｎ画像情報取得手段によって取得された情報に基づいて、原稿画像回転制御を行う場合の欠落画素数、原稿画像回転制御を行わない場合の欠落画素数を求める欠落画素数算出手段と、該欠落画素数算出手段によって原稿画像回転制御を行うか行わないかを決定する回転要否決定手段を有することを特徴とする画像形成装置である。【選択図】図２
2008177726.tif 000002
【特許請求の範囲】
【請求項１】
コピー倍率も含んだ原稿画像の主走査方向の画素数、コピー倍率も含んだ原稿画像の副走査方向の画素数に係る情報を取得するＳｏｕｒｃｅ画像情報取得手段と、
出力用紙サイズの主走査方向の画素数、出力用紙サイズの主走査方向の画素数に係る情報を取得するＤｅｓｔｉｎａｔｉｏｎ画像情報取得手段と、
該Ｓｏｕｒｃｅ画像情報取得手段及びＤｅｓｔｉｎａｔｉｏｎ画像情報取得手段によって取得された情報に基づいて、原稿画像回転制御を行う場合の欠落画素数、原稿画像回転制御を行わない場合の欠落画素数を求める欠落画素数算出手段と、
該欠落画素数算出手段によって原稿画像回転制御を行うか行わないかを決定する回転要否決定手段を有することを特徴とする画像形成装置。
【請求項２】
コピー倍率も含んだ原稿画像の主走査方向の長さ、コピー倍率も含んだ原稿画像の副走査方向の長さに係る情報を取得するＳｏｕｒｃｅ画像情報取得手段と、
出力用紙サイズの主走査方向の長さ、出力用紙サイズの主走査方向の長さに係る情報を取得するＤｅｓｔｉｎａｔｉｏｎ画像情報取得手段と、
該Ｓｏｕｒｃｅ画像情報取得手段及びＤｅｓｔｉｎａｔｉｏｎ画像情報取得手段によって取得された情報に基づいて、原稿画像回転制御を行う場合の欠落面積、原稿画像回転制御を行わない場合の欠落面積を求める欠落面積算出手段と、
該欠落面積算出手段によって原稿画像回転制御を行うか行わないかを決定する回転要否決定手段を有することを特徴とする画像形成装置。
【請求項３】
コピー倍率も含んだ原稿画像の主走査方向の画素数、コピー倍率も含んだ原稿画像の副走査方向の画素数、出力用紙サイズの主走査方向の画素数、出力用紙サイズの主走査方向の画素数に係る画像情報を取得し、これら取得された画像情報に基づいて、原稿画像回転制御を行う場合の欠落画素数、原稿画像回転制御を行わない場合の欠落画素数を算出し、この算出結果によって原稿画像回転制御を行うか行わないかを決定することを特徴とする画像形成装置の制御方法。
【請求項４】
コピー倍率も含んだ原稿画像の主走査方向の長さ、コピー倍率も含んだ原稿画像の副走査方向の長さ、出力用紙サイズの主走査方向の長さ、出力用紙サイズの主走査方向の長さに係る画像情報を取得し、これら取得された画像情報に基づいて、原稿画像回転制御を行う場合の欠落面積、原稿画像回転制御を行わない場合の欠落面積を算出し、この算出結果によって原稿画像回転制御を行うか行わないかを決定することを特徴とする画像形成装置の制御方法。
【発明の詳細な説明】
【技術分野】
【０００１】
本発明は、記録媒体に印刷を行うプリンタ機能、原稿の読み取りを行うスキャナ機能、さらにＦＡＸ文書の送受信を行うＦＡＸ機能を備える複合機、及び複写機などの画像形成装置及び画像形成装置の制御方法に関する。
【背景技術】
【０００２】
スキャナ及びプリンタを備えたデジタル複合機（以下、単に複合機という）と呼ばれる装置がある。この複合機では、スキャナが画像を取り込むスキャナ機能、プリンタが印刷を行う印刷機能、及びスキャナが読み取った画像をプリンタが印刷するコピー機能などを備える。また、このような複合機の他に、単なるコピー機能を有する複写機などの画像形成装置も広く用いられている。
【０００３】
複合機におけるコピー機能や複写機においては、原稿画像より出力用紙の出力領域が小さい場合は、画像が切れて出力されることとなる。そこで、読み取り台に載置した原稿の向きと、出力用紙の向きとの関係を考慮して、原稿画像を回転する機能を有するものが知られている。例えば、特許文献１（特開２００４−１６０６６６号公報）には、原稿が定型用紙に収まるかどうか判定し、収まらない場合には原稿画像を回転するようにした画像形成装置が開示されている。
【特許文献１】特開２００４−１６０６６６号公報
【発明の開示】
【発明が解決しようとする課題】
【０００４】
特許文献１に記載の画像形成装置においては、原稿の向きと出力用紙の向きとが異なる場合には原稿画像は必ず回転されることとなる。このような原稿画像の回転について図面を参照しつつ詳細に説明する。図１７は、特許文献１に記載の原稿画像回転機能を有する画像形成装置による画像出力例を示す図である。図１７は、図示するようなＡ４縦サイズの画像を画像形成装置で読み取って、これをＡ３横サイズの用紙にコピーする場合を示している。なお、ここでコピー倍率は等倍（１００％）に設定されているものとする。特許文献１のような原稿画像回転機能を有する画像形成装置によれば、図１７の右側に示すように、原稿画像は回転されてＡ３横サイズの用紙にコピーされることとなる。
【０００５】
図１８は、特許文献１に記載の原稿画像回転機能を有する画像形成装置による他の画像出力例を示す図である。図１８では、コピー倍率は１４１％（Ａ４サイズ→Ａ３サイズ）に設定されているものとし、左側に図示するようなＡ４縦サイズの画像を画像形成装置で読み取って、１４１％に拡大してＡ３横サイズの用紙にコピーする場合を示している。特許文献１のような原稿画像回転機能を有する画像形成装置によれば、図１８の右側に示すように、原稿画像は回転されてＡ３横サイズの用紙に原稿の画像が欠けることなくコピーされることとなる。
【０００６】
ところで、原稿画像回転機能を有する画像形成装置では図１８のような形態でのコピー出力は希望するが、図１７のような形態でのコピー出力は希望しない、というユーザーも想定される。このようなユーザーは、図１６に示されるような形態でのコピー出力を希望することが考えられる。図１６は、原稿画像回転機能を有する画像形成装置による画像出力例を示す図であるが、この例においては、左側のＡ４縦サイズの原稿画像は回転されることなく、そのままＡ３横サイズの用紙にコピーされる場合を示している。Ａ３横サイズの用紙にコピーされる原稿画像の配置の関係から、図１７の右側に示されるコピー出力よりも、図１８の右側に示されるコピー出力を希望するようなユーザーも存在するのである。ところが、従来の原稿画像回転機能を有する画像形成装置では、原稿の向きと出力用紙の向きとが異なる場合には一律的に原稿画像が回転されることとなってしまい、ユーザーの所望するような形態でのコピー出力を行うことができなかった、という問題がある。
【課題を解決するための手段】
【０００７】
本発明は、上記のような問題に対処するために、請求項１に係る発明は、コピー倍率も含んだ原稿画像の主走査方向の画素数、コピー倍率も含んだ原稿画像の副走査方向の画素数に係る情報を取得するＳｏｕｒｃｅ画像情報取得手段と、出力用紙サイズの主走査方向の画素数、出力用紙サイズの主走査方向の画素数に係る情報を取得するＤｅｓｔｉｎａｔｉｏｎ画像情報取得手段と、該Ｓｏｕｒｃｅ画像情報取得手段及びＤｅｓｔｉｎａｔｉｏｎ画像情報取得手段によって取得された情報に基づいて、原稿画像回転制御を行う場合の欠落画素数、原稿画像回転制御を行わない場合の欠落画素数を求める欠落画素数算出手段と、該欠落画素数算出手段によって原稿画像回転制御を行うか行わないかを決定する回転要否決定手段を有することを特徴とする画像形成装置である。
【０００８】
また、請求項２に係る発明は、コピー倍率も含んだ原稿画像の主走査方向の長さ、コピー倍率も含んだ原稿画像の副走査方向の長さに係る情報を取得するＳｏｕｒｃｅ画像情報取得手段と、出力用紙サイズの主走査方向の長さ、出力用紙サイズの主走査方向の長さに係る情報を取得するＤｅｓｔｉｎａｔｉｏｎ画像情報取得手段と、該Ｓｏｕｒｃｅ画像情報取得手段及びＤｅｓｔｉｎａｔｉｏｎ画像情報取得手段によって取得された情報に基づいて、原稿画像回転制御を行う場合の欠落面積、原稿画像回転制御を行わない場合の欠落面積を求める欠落面積算出手段と、該欠落面積算出手段によって原稿画像回転制御を行うか行わないかを決定する回転要否決定手段を有することを特徴とする画像形成装置である。
【０００９】
また、請求項３に係る発明は、コピー倍率も含んだ原稿画像の主走査方向の画素数、コピー倍率も含んだ原稿画像の副走査方向の画素数、出力用紙サイズの主走査方向の画素数、出力用紙サイズの主走査方向の画素数に係る画像情報を取得し、これら取得された画像情報に基づいて、原稿画像回転制御を行う場合の欠落画素数、原稿画像回転制御を行わない場合の欠落画素数を算出し、この算出結果によって原稿画像回転制御を行うか行わないかを決定することを特徴とする画像形成装置の制御方法である。
【００１０】
また、請求項４に係る発明は、コピー倍率も含んだ原稿画像の主走査方向の長さ、コピー倍率も含んだ原稿画像の副走査方向の長さ、出力用紙サイズの主走査方向の長さ、出力用紙サイズの主走査方向の長さに係る画像情報を取得し、これら取得された画像情報に基づいて、原稿画像回転制御を行う場合の欠落面積、原稿画像回転制御を行わない場合の欠落面積を算出し、この算出結果によって原稿画像回転制御を行うか行わないかを決定することを特徴とする画像形成装置の制御方法である。
【００１１】
本発明によれば、原稿画像回転機能を有する画像形成装置において、ユーザーが所望しないような回転処理を行うことがない制御を行うことができる。
【発明を実施するための最良の形態】
【００１２】
以下、本発明の実施の形態を図面を参照しつつ説明する。本実施形態においては画像形成装置として複合機を例にとり説明するが、本発明は複合機に限らず複写機単体としての画像形成装置にも適用可能なものである。図１は本発明の実施の形態に係る画像形成装置（複合機）及びその周辺のシステム構成を示す図である。図１において、１０はＬＡＮ、ＷＡＮなどのネットワーク、２０は電話回線、１００は複合機、１１０は複合機の主制御を行う制御部、１２０はＦＡＸ文書の送受信を行うＦＡＸ部、１３０は記録媒体への印刷を行うプリンタ部、１４０は原稿の読み取りを行うスキャナ部、１５０はユーザーとのインターフェイスとなる操作パネル部、１６０はネットワークＩ／Ｆ、１７０はＵＳＢ  Ｉ／Ｆ、２００、２００’、２００’’はパーソナルコンピュータ、３００は外部機器をそれぞれ示している。
【００１３】
図１に示される画像形成装置周辺のシステムでは、クライアントなどのパーソナルコンピュータ２００、２００’、２００’’と複合機１００とが、ネットワーク１０を介して接続される構成となっている。また、複合機１００のＦＡＸ部１２０が電話回線２０と、ＵＳＢ  Ｉ／Ｆ１７０が外部機器３００と接続されるような構成とされている。
【００１４】
複合機１００は、情報処理装置からなる複合機本体の主制御を行う制御部１１０と、ユーザーの入力操作を受け付ける入出力装置である操作パネル部１５０と、原稿・画像をスキャンして読み込むスキャナ部１４０と、印刷用紙等に印刷を行うプリンタ部１３０と、ＦＡＸ送受信を行うＦＡＸ部１２０とを備える。つまり、複合機１００は、スキャナ機能、印刷機能、スキャナ機能と印刷機能を組み合わせたコピー機能及びＦＡＸ送受信機能を備えるものである。
【００１５】
複合機１００の情報処理機構は、いずれも例えば汎用的なコンピュータシステムにより構成され、個々の構成要素または機能は、例えば、記憶手段に書き込まれたコンピュータプログラムを実行することにより実現される。
【００１６】
スキャナ部１４０は、原稿を載置可能な不図示の原稿台とこれを読み取る光学系からなる。スキャナ部１４０の原稿台には、原稿台に載置した原稿のサイズを検知することができる原稿サイズ検知センサが設けられている。また、複合機に１００には、スキャナ部１４０に自動的に連続的に原稿を送致する構成であるＡＤＦ（Ａｕｔｏｍａｔｉｃ  Ｄｏｃｕｍｅｎｔ  Ｆｅｅｄｅｒ）を設けるようにしておいてもよい。
【００１７】
スキャナ部１４０によって読み取られた制御部１１０の不図示の記憶手段に一度取り込まれる。操作パネル部１５０などからの指定によって制御部１１０は、スキャナ部１４０で読み取られた原稿画像データを、そのまま、或いは設定された倍率でプリンタ部１３０から紙出力したり（複合機１００のコピー機能）、ＦＡＸ部１２０から電話回線を通じて送信したり（複合機１００のＦＡＸ機能）、ネットワークＩ／Ｆ１６０、ネットワーク１０を介して、パーソナルコンピュータ２００、２００’、２００’’に向けて送信したり（複合機１００のスキャナ機能）する。
【００１８】
プリンタ部１３０は、記録用紙上に画像を形成するものであり、レーザーやＬＥＤラインヘッドによって感光体上に潜像を形成する方式を採用した電子写真方式や、記録用紙上に直接インクを射出する方式を採用したインクジェット方式などの周知のハードウエア構成を用いることができる。制御部１１０は、操作パネル部１５０やパーソナルコンピュータ２００、２００’、２００’’或いは、携帯電話、デジタルカメラなどの外部機器３００からの指示に基づいて、プリンタ部１３０に所定の紙出力を行わせるものである。すなわち、プリンタ部１３０は、スキャナ部１４０によって読み取られた画像データやＦＡＸ部２１０で受信されたＦＡＸデータや、パーソナルコンピュータ２００、２００’、２００’’のアプリケーションソフトウエアからのデータや外部機器３００からの画像データなどを紙出力するものである。
【００１９】
ＦＡＸ部１２０は、電話回線２０と接続されていて、ＦＡＸの送受信を行うＦＡＸ送受信部（不図示）と、ＦＡＸ送受信部が送信するための送信データを一時記憶する送信バッファ及びＦＡＸ送受信部が受信した受信データを一時記憶する受信バッファを構成するためのＦＡＸ部メモリを備えている。
【００２０】
ＦＡＸ部１２０は、スキャナ部１４０が読み取った画像データを制御部１１０から受信すると、一旦ＦＡＸ部メモリ１２１に蓄積して、ＦＡＸ送信する。送信が完了すると、ＦＡＸ部１２０は、ＦＡＸ部メモリ１２１に蓄積されている送信済みデータを消去する。
【００２１】
また、ＦＡＸ部１２０は、電話回線２０からＦＡＸ送信されてきたデータを受信すると、その受信データを一旦格納する。そして、格納された受信データは、制御部１１０へ送られて、プリンタ部１３０で印刷される。ＦＡＸ部１２０は、複合機１００内の他の構成とは独立にＦＡＸ送受信を行う。つまり、ＦＡＸ部１２０は、複合機１００から送信データを受け付けると、複合機１００とは独立にＦＡＸ送信を行うし、電話回線２０からＦＡＸデータが送信されてくれば、それを受信する。
【００２２】
本発明は、以上のように構成される複合機１００などの画像形成装置のコピー機能に係るものである。複合機１００のコピー機能は、ユーザーの操作パネル部１５０の操作によって制御部１１０に設定される。操作パネル部１５０からは、コピー機能に係るコピー倍率の設定、原稿画像サイズの設定、出力用紙のサイズの設定を行うことができ、制御部１１０はこれらの設定に基づいて、複合機１００のコピー機能を実行する。複合機１００のコピー機能は、スキャナ部１４０にて読み取った原稿の原稿画像データに、コピー倍率処理を施し、これをプリンタ部１３０で指定されたサイズの用紙に紙出力する。
【００２３】
本発明の複合機１００には、以上のような基本的なコピー機能に加えて、「背景技術」の欄において説明した原稿画像の回転処理を行うものである。このような複合機１００などの画像回転制御には、特許文献１に記載されたように周知の技術を用いることができる。本発明の画像形成装置及びその制御方法においては、この画像回転制御を行う場合と、行わない場合の決定をどのように行うかが重要となる。
【００２４】
次に、以上のように構成された画像形成装置（複合機）の画像回転制御における回転要否決定処理について説明する。図２は、本発明の実施の形態に係る画像形成装置（複合機）の画像回転制御における回転要否決定処理のフローチャートを示す図であり、図３は、本発明の実施の形態に係る画像形成装置（複合機）の画像回転制御における回転要否決定処理のサブルーチンのフローチャートを示す図である。
【００２５】
図２及び図３のフローチャートにおいて、下記のように変数を定義する。
・ＳｒｃＭａｉｎＰｉｘｅｌｓ＝（コピー倍率も含んだ原稿画像の主走査方向の画素数）
・ＳｒｃＳｕｂＰｉｘｅｌｓ＝（コピー倍率も含んだ原稿画像の副走査方向の画素数）
・ＤｓｔＭａｉｎＰｉｘｅｌｓ＝（出力用紙サイズの主走査方向の画素数）
・ＤｓｔＳｕｂＰｉｘｅｌｓ＝（出力用紙サイズの主走査方向の画素数）
・ＤｒｏｐｐｉｎｇＰｉｘｅｌｓＲｏｔｅＯｎ＝（画像回転制御を行う場合の欠落画素数）
・ＤｒｏｐｐｉｎｇＰｉｘｅｌｓＲｏｔｅＯｆｆ＝（画像回転制御を行わない場合の欠落画素数）
ここで、副走査方向はプリンタ部１３０の記録用紙の搬送方向と定義し、主走査方向は副走査方向と直交する方向と定義する。また、ＳｒｃはＳｏｕｒｃｅの略、ＤｓｔはＤｅｓｔｉｎａｔｉｏｎの略である。Ｓｏｕｒｃｅ画像は、（コピー倍率も含んだ原稿画像の主走査方向の画素数）×（コピー倍率も含んだ原稿画像の副走査方向の画素数）のサイズの矩形画像データ、Ｄｅｓｔｉｎａｔｉｏｎ画像は、（出力用紙サイズの主走査方向の画素数）×（出力用紙サイズの主走査方向の画素数）のサイズの矩形画像データである。
【００２６】
図２のステップＳ１００で画像回転制御における回転要否決定処理のフローが開始されると、続いてステップＳ１０１において、原稿画像のサイズの取得を行い、ＳｒｃＭａｉｎＰｉｘｅｌｓ及びＳｒｃＳｕｂＰｉｘｅｌｓに値が代入される。ＳｒｃＭａｉｎＰｉｘｅｌｓは、入力主走査方向画素数にコピー倍率を乗じたものであり、ＳｒｃＳｕｂＰｉｘｅｌｓは、入力副走査方向画素数にコピー倍率を乗じたものである。
【００２７】
ステップＳ１００において、入力主走査方向画素数及び入力副走査方向画素数は、原稿サイズ検知センサによる検知結果による情報、又はユーザーによる読み取り原稿サイズの設定による情報に基づいて決定されるものである。
【００２８】
次にステップＳ１０２へと進み、出力用紙のサイズの取得を行い、ＤｓｔＭａｉｎＰｉｘｅｌｓ及びＤｓｔＳｕｂＰｉｘｅｌｓに値が代入される。ＤｓｔＭａｉｎＰｉｘｅｌｓには、出力主走査方向画素数が代入され、ＤｓｔＳｕｂＰｉｘｅｌｓには、出力副走査方向画素数が代入される。ここで、これら出力主走査方向画素数及び出力副走査方向画素数に係る情報は、例えば不揮発性の記憶手段などのテーブルに保持されるものを利用する。
【００２９】
次に、ステップＳ１０３において、画像回転制御を行わない場合に欠落する画素数を算出し、ＤｒｏｐｐｉｎｇＰｉｘｅｌｓＲｏｔｅＯｆｆに代入する。なお、欠落する画素数は図３のフローチャートに示されるサブルーチンによってなされる。このサブルーチンについては後に説明する。
【００３０】
続いてステップＳ１０４において、ＤｒｏｐｐｉｎｇＰｉｘｅｌｓＲｏｔｅＯｆｆ＞０であるか否かが判定される。ステップＳ１０４の結果がＦＡＬＳＥである場合には、画像回転制御を行わなくとも欠落する画素がないということであるので、ステップＳ１０８へと進み、回転は「しない」との決定を行い、ステップＳ１０９で回転要否決定処理を終了する。
【００３１】
ステップＳ１０４の結果がＴＲＵＥである場合には、画像を回転した場合についても検討するためにステップＳ１０５へと進む。
【００３２】
続いて、ステップＳ１０３において、画像回転制御を行う場合に欠落する画素数を算出し、ＤｒｏｐｐｉｎｇＰｉｘｅｌｓＲｏｔｅＯｎに代入する。なお、欠落する画素数は図３のフローチャートに示されるサブルーチンによってなされる。
【００３３】
引き続き、ステップＳ１０６においては、画像回転制御を行う場合と画像回転制御を行わない場合とで欠落する画素数の比較を行う。すなわち、ステップＳ１０６においては、ＤｒｏｐｐｉｎｇＰｉｘｅｌｓＲｏｔｅＯｎ＜ＤｒｏｐｐｉｎｇＰｉｘｅｌｓＲｏｔｅＯｆｆの判定が行われる。ステップＳ１０６における判定の結果がＴＲＵＥである場合には、画像回転制御を行う方が欠落する画素数が少ない、ということとなるので、ステップＳ１０７へと進み、回転を「する」との決定を行い、ステップＳ１０９で回転要否決定処理を終了する。また、ステップＳ１０６における判定の結果がＦＡＬＳＥである場合には、画像回転制御を行わない方が欠落する画素数が少ない、ということとなるので、ステップＳ１０８へと進み、回転は「しない」との決定を行い、ステップＳ１０９で回転要否決定処理を終了する。
【００３４】
次に、図３に示す画像回転制御における回転要否決定処理のサブルーチンのフローチャートについて説明する。図３のフローチャートにおいては、ＤｒｏｐｐｉｎｇＰｉｘｅｌｓ＝（欠落画素数）と定義する。ステップＳ２００において、欠落画素数の算出処理が開始されると、ステップＳ２０１へと進み、ＤｒｏｐｐｉｎｇＰｉｘｅｌｓに０が代入される。
【００３５】
続いてステップＳ２０２において、「ＳｒｃＭａｉｎＰｉｘｅｌｓ」、「ＳｒｃＳｕｂＰｉｘｅｌｓ」、「ＤｓｔＭａｉｎＰｉｘｅｌｓ」、「ＤｓｔＳｕｂＰｉｘｅｌｓ」の各値がセットされる。これらの各値は、ステップＳ１０１及びステップＳ１０２で設定された値が用いられる。
【００３６】
次に、ステップＳ２０３において、ＳｒｃＭａｉｎＰｉｘｅｌｓ＞ＤｓｔＭａｉｎＰｉｘｅｌｓであるかどうかが判定される。ステップＳ２０３における判定結果が、ＴＲＵＥであれば、ステップＳ２０４へと進み、ＦＬＡＳＥであれば、ステップＳ２０５へと進む。
【００３７】
ステップＳ２０４においては、ＤｒｏｐｐｉｎｇＰｉｘｅｌｓ＝ＤｒｏｐｐｉｎｇＰｉｘｅｌｓ＋ＳｒｃＭａｉｎＰｉｘｅｌｓ−ＤｓｔＭａｉｎＰｉｘｅｌｓ）×ＳｒｃＳｕｂＰｉｘｅｌｓが計算される。
【００３８】
次に、ステップＳ２０５において、ＳｒｃＳｕｂＰｉｘｅｌｓ＞ＤｓｔＳｕｂＰｉｘｅｌｓであるかどうかが判定される。ステップＳ２０５における判定結果が、ＴＲＵＥであれば、ステップＳ２０６へと進み、ＦＬＡＳＥであれば、ステップＳ２０７へと進む。
【００３９】
ステップＳ２０６において、ＤｒｏｐｐｉｎｇＰｉｘｅｌｓ＝ＤｒｏｐｐｉｎｇＰｉｘｅｌｓ＋（ＳｒｃＳｕｂＰｉｘｅｌｓ−ＤｓｔＳｕｂＰｉｘｅｌｓ）×ＳｒｃＭａｉｎＰｉｘｅｌｓが計算される。
【００４０】
次に、ステップＳ２０７において、ＳｒｃＭａｉｎＰｉｘｅｌｓ＞ＤｓｔＭａｉｎＰｉｘｅｌｓ、かつ、ＳｒｃＳｕｂＰｉｘｅｌｓ＞ＤｓｔＳｕｂＰｉｘｅｌｓが成立するかが判定される。ステップＳ２０７における判定結果が、ＴＲＵＥであれば、ステップＳ２０８へと進み、ＦＬＡＳＥであれば、ステップＳ２０９へと進み、ステップＳ２０９で処理を終了する。
【００４１】
ステップＳ２０８において、ＤｒｏｐｐｉｎｇＰｉｘｅｌｓ＝ＤｒｏｐｐｉｎｇＰｉｘｅｌｓ−（ＳｒｃＭａｉｎＰｉｘｅｌｓ−ＤｓｔＭａｉｎＰｉｘｅｌｓ）×（ＳｒｃＳｕｂＰｉｘｅｌｓ−ＤｓｔＳｕｂＰｉｘｅｌｓ）が計算され、続いてステップＳ２０９へと進み、ステップＳ２０９で処理を終了する。
【００４２】
次に、以上の本発明の実施の形態に係る画像形成装置（複合機）の画像回転制御における回転要否決定処理のサブルーチンによって、欠落画素数の算出処理がなされるかにつき具体例を挙げつつ説明する。図４乃至図１２は、回転要否決定処理のサブルーチンによる欠落画素数の算出処理を具体的に説明するための図である。
【００４３】
図４において、実線の矩形がＳｏｕｒｃｅ画像領域を、点線の矩形がＤｅｓｔｉｎａｔｉｏｎ画像領域を示すものとする。Ｓｏｕｒｃｅ画像領域は、ＳｒｃＭａｉｎＰｉｘｅｌｓ×ＳｒｃＳｕｂＰｉｘｅｌｓの矩形であり、Ｄｅｓｔｉｎａｔｉｏｎ画像領域は、ＤｓｔＭａｉｎＰｉｘｅｌｓ×ＤｓｔＳｕｂＰｉｘｅｌｓの矩形である。また、図中の２つの矢印がそれぞれ主走査方向、副走査方向を示すものとする。
【００４４】
以上のような、Ｓｏｕｒｃｅ画像領域とＤｅｓｔｉｎａｔｉｏｎ画像領域の場合、回転要否決定処理のサブルーチンによる欠落画素数の算出処理がどのようになされるかにつき説明する。図４に示されるＳｏｕｒｃｅ画像領域とＤｅｓｔｉｎａｔｉｏｎ画像領域の場合、ＳｒｃＳｕｂＰｉｘｅｌｓ＞ＤｓｔＳｕｂＰｉｘｅｌｓであるので、回転要否決定処理のサブルーチンのフローチャートにおけるステップＳ２０３はＦＬＡＳＥ、Ｓ２０５はＴＲＵＥ、Ｓ２０７はＦＬＡＳＥとなり、ステップＳ２０６において、ＤｒｏｐｐｉｎｇＰｉｘｅｌｓ＝ＤｒｏｐｐｉｎｇＰｉｘｅｌｓ＋ＳｒｃＳｕｂＰｉｘｅｌｓ−ＤｓｔＳｕｂＰｉｘｅｌｓ）×ＳｒｃＭａｉｎＰｉｘｅｌｓが計算され、結局、図５の斜線で示される領域が欠落画素数（ＤｒｏｐｐｉｎｇＰｉｘｅｌｓ）として計算されることとなる。
【００４５】
次に別の場合について説明する。図６において、実線の矩形がＳｏｕｒｃｅ画像領域を、点線の矩形がＤｅｓｔｉｎａｔｉｏｎ画像領域を示すものとする。Ｓｏｕｒｃｅ画像領域は、ＳｒｃＭａｉｎＰｉｘｅｌｓ×ＳｒｃＳｕｂＰｉｘｅｌｓの矩形であり、Ｄｅｓｔｉｎａｔｉｏｎ画像領域は、ＤｓｔＭａｉｎＰｉｘｅｌｓ×ＤｓｔＳｕｂＰｉｘｅｌｓの矩形である。また、図中の２つの矢印がそれぞれ主走査方向、副走査方向を示すものとする。
【００４６】
以上のような、Ｓｏｕｒｃｅ画像領域とＤｅｓｔｉｎａｔｉｏｎ画像領域の場合、回転要否決定処理のサブルーチンによる欠落画素数の算出処理がどのようになされるかにつき説明する。図６に示されるＳｏｕｒｃｅ画像領域とＤｅｓｔｉｎａｔｉｏｎ画像領域の場合、ＳｒｃＭａｉｎＰｉｘｅｌｓ＜ＤｓｔＭａｉｎＰｉｘｅｌｓ、ＳｒｃＳｕｂＰｉｘｅｌｓ＜ＤｓｔＳｕｂＰｉｘｅｌｓであるので、回転要否決定処理のサブルーチンのフローチャートにおけるステップＳ２０３はＦＬＡＳＥ、Ｓ２０５はＦＬＡＳＥ、Ｓ２０７はＦＬＡＳＥとなり、ＤｒｏｐｐｉｎｇＰｉｘｅｌｓ＝０のまま、すなわち、欠落画素数がゼロのままサブルーチンの処理が終了する。
【００４７】
次に別の場合について説明する。図７において、実線の矩形がＳｏｕｒｃｅ画像領域を、点線の矩形がＤｅｓｔｉｎａｔｉｏｎ画像領域を示すものとする。Ｓｏｕｒｃｅ画像領域は、ＳｒｃＭａｉｎＰｉｘｅｌｓ×ＳｒｃＳｕｂＰｉｘｅｌｓの矩形であり、Ｄｅｓｔｉｎａｔｉｏｎ画像領域は、ＤｓｔＭａｉｎＰｉｘｅｌｓ×ＤｓｔＳｕｂＰｉｘｅｌｓの矩形である。また、図中の２つの矢印がそれぞれ主走査方向、副走査方向を示すものとする。
【００４８】
以上のような、Ｓｏｕｒｃｅ画像領域とＤｅｓｔｉｎａｔｉｏｎ画像領域の場合、回転要否決定処理のサブルーチンによる欠落画素数の算出処理がどのようになされるかにつき説明する。図７に示されるＳｏｕｒｃｅ画像領域とＤｅｓｔｉｎａｔｉｏｎ画像領域の場合、ＳｒｃＭａｉｎＰｉｘｅｌｓ＞ＤｓｔＭａｉｎＰｉｘｅｌｓであるので、回転要否決定処理のサブルーチンのフローチャートにおけるステップＳ２０３はＴＲＵＥ、Ｓ２０５はＦＬＡＳＥ、Ｓ２０７はＦＬＡＳＥとなり、ステップＳ２０６において、ＤｒｏｐｐｉｎｇＰｉｘｅｌｓ＝ＤｒｏｐｐｉｎｇＰｉｘｅｌｓ＋（ＳｒｃＭａｉｎＰｉｘｅｌｓ−ＤｓｔＭａｉｎＰｉｘｅｌｓ）×ＳｒｃＳｕｂＰｉｘｅｌｓが計算され、結局、図８の斜線で示される領域が欠落画素数（ＤｒｏｐｐｉｎｇＰｉｘｅｌｓ）として計算されることとなる。
【００４９】
次に別の場合について説明する。図９において、実線の矩形がＳｏｕｒｃｅ画像領域を、点線の矩形がＤｅｓｔｉｎａｔｉｏｎ画像領域を示すものとする。Ｓｏｕｒｃｅ画像領域は、ＳｒｃＭａｉｎＰｉｘｅｌｓ×ＳｒｃＳｕｂＰｉｘｅｌｓの矩形であり、Ｄｅｓｔｉｎａｔｉｏｎ画像領域は、ＤｓｔＭａｉｎＰｉｘｅｌｓ×ＤｓｔＳｕｂＰｉｘｅｌｓの矩形である。また、図中の２つの矢印がそれぞれ主走査方向、副走査方向を示すものとする。
【００５０】
以上のような、Ｓｏｕｒｃｅ画像領域とＤｅｓｔｉｎａｔｉｏｎ画像領域の場合、回転要否決定処理のサブルーチンによる欠落画素数の算出処理がどのようになされるかにつき説明する。図９に示されるＳｏｕｒｃｅ画像領域とＤｅｓｔｉｎａｔｉｏｎ画像領域の場合、ＳｒｃＭａｉｎＰｉｘｅｌｓ＞ＤｓｔＭａｉｎＰｉｘｅｌｓであるので、回転要否決定処理のサブルーチンのフローチャートにおけるステップＳ２０３はＴＲＵＥとなり、ステップＳ２０４において、ＤｒｏｐｐｉｎｇＰｉｘｅｌｓ＝ＤｒｏｐｐｉｎｇＰｉｘｅｌｓ＋（ＳｒｃＭａｉｎＰｉｘｅｌｓ−ＤｓｔＭａｉｎＰｉｘｅｌｓ）×ＳｒｃＳｕｂＰｉｘｅｌｓが計算され、図１０の斜線で示される領域がＤｒｏｐｐｉｎｇＰｉｘｅｌｓに加算される。
【００５１】
また、図９に示されるＳｏｕｒｃｅ画像領域とＤｅｓｔｉｎａｔｉｏｎ画像領域の場合、ＳｒｃＳｕｂＰｉｘｅｌｓ＞ＤｓｔＳｕｂＰｉｘｅｌｓであるので、回転要否決定処理のサブルーチンのフローチャートにおけるステップＳ２０５はＴＲＵＥとなり、ステップＳ２０６において、ＤｒｏｐｐｉｎｇＰｉｘｅｌｓ＝ＤｒｏｐｐｉｎｇＰｉｘｅｌｓ＋（ＳｒｃＳｕｂＰｉｘｅｌｓ−ＤｓｔＳｕｂＰｉｘｅｌｓ）×ＳｒｃＭａｉｎＰｉｘｅｌｓが計算され、図１１の斜線で示される領域がＤｒｏｐｐｉｎｇＰｉｘｅｌｓに加算される。
【００５２】
また、図９に示されるＳｏｕｒｃｅ画像領域とＤｅｓｔｉｎａｔｉｏｎ画像領域の場合、ＳｒｃＭａｉｎＰｉｘｅｌｓ＞ＤｓｔＭａｉｎＰｉｘｅｌｓであり、かつＳｒｃＳｕｂＰｉｘｅｌｓ＞ＤｓｔＳｕｂＰｉｘｅｌｓであるので、回転要否決定処理のサブルーチンのフローチャートにおけるステップＳ２０７はＴＲＵＥとなり、ステップＳ２０８において、ＤｒｏｐｐｉｎｇＰｉｘｅｌｓ＝ＤｒｏｐｐｉｎｇＰｉｘｅｌｓ−（ＳｒｃＭａｉｎＰｉｘｅｌｓ−ＤｓｔＭａｉｎＰｉｘｅｌｓ）×（ＳｒｃＳｕｂＰｉｘｅｌｓ−ＤｓｔＳｕｂＰｉｘｅｌｓ）が計算され、重複して加算されてしまった図１２の斜線で示される領域がＤｒｏｐｐｉｎｇＰｉｘｅｌｓから減算される。
【００５３】
以上のような、本発明の実施の形態に係る画像形成装置（複合機）の画像回転制御における回転要否決定処理によって、Ａ４縦サイズの原稿画像をＡ３横サイズの用紙にコピーに等倍でコピーする場合について説明する。
【００５４】
図１３において、実線の矩形がＳｏｕｒｃｅ画像領域を、点線の矩形がＤｅｓｔｉｎａｔｉｏｎ画像領域を示すものとする。Ｓｏｕｒｃｅ画像領域は、ＳｒｃＭａｉｎＰｉｘｅｌｓ×ＳｒｃＳｕｂＰｉｘｅｌｓの矩形であり、本例の場合、Ａ４縦サイズの原稿である。また、Ｄｅｓｔｉｎａｔｉｏｎ画像領域は、ＤｓｔＭａｉｎＰｉｘｅｌｓ×ＤｓｔＳｕｂＰｉｘｅｌｓの矩形であり、本例の場合、Ａ３横サイズの用紙サイズである。また、図中の２つの矢印がそれぞれ主走査方向、副走査方向を示すものとする。図１３は、Ａ４縦サイズの原稿画像を等倍でＡ３横サイズの用紙にコピーする場合の回転要否決定処理を説明するための図である。
【００５５】
図１３に示すような場合においては、図３に示される欠落画素数の算出処理によってＤｒｏｐｐｉｎｇＰｉｘｅｌｓ＝０となる。したがって、図２に示される画像回転制御における回転要否決定処理のメインフローチャートのステップＳ１０４のＤｒｏｐｐｉｎｇＰｉｘｅｌｓＲｏｔｅＯｆｆ＞０判定結果はＦＡＬＳＥとなり、結局、ステップＳ１０８へと進み、回転は「しない」との決定を行い、ステップＳ１０９で回転要否決定処理を終了する。
【００５６】
以上、本発明によれば、原稿画像回転機能を有する画像形成装置において、ユーザーが所望しないような回転処理を行うことがない制御を行うことができる。
【００５７】
次に本発明の他の実施形態について説明する。本発明の他の実施形態は、画像回転制御における判定処理を回転要否決定処理を行うために、画素数の概念を用いずに、長さの概念を用いるものである。
【００５８】
図１４は、本発明の他の実施の形態に係る画像形成装置（複合機）の画像回転制御における回転要否決定処理のフローチャートを示す図であり、図１５は、本発明の他の実施の形態に係る画像形成装置（複合機）の画像回転制御における回転要否決定処理のサブルーチンのフローチャートを示す図である。
【００５９】
図１４及び図１５のフローチャートにおいて、下記のように変数を定義する。
・ＳｒｃＭａｉｎＬｅｎｇｔｈ＝（コピー倍率も含んだ原稿画像の主走査方向の長さ）
・ＳｒｃＳｕｂＬｅｎｇｔｈ＝（コピー倍率も含んだ原稿画像の副走査方向の長さ）
・ＤｓｔＭａｉｎＬｅｎｇｔｈ＝（出力用紙サイズの主走査方向の長さ）
・ＤｓｔＳｕｂＬｅｎｇｔｈ＝（出力用紙サイズの副走査方向の長さ）
・ＤｒｏｐｐｉｎｇＡｒｅａＲｏｔｅＯｎ＝（画像回転制御を行う場合の欠落面積）
・ＤｒｏｐｐｉｎｇＡｒｅａＲｏｔｅＯｆｆ＝（画像回転制御を行わない場合の欠落面積）
ここで、副走査方向はプリンタ部１３０の記録用紙の搬送方向と定義し、主走査方向は副走査方向と直交する方向と定義する。また、ＳｒｃはＳｏｕｒｃｅの略、ＤｓｔはＤｅｓｔｉｎａｔｉｏｎの略である。
【００６０】
図１４のステップＳ３００で画像回転制御における回転要否決定処理のフローが開始されると、続いてステップＳ３０１において、原稿画像のサイズの取得を行い、ＳｒｃＭａｉｎＬｅｎｇｔｈ及びＳｒｃＳｕｂＬｅｎｇｔｈに値が代入される。ＳｒｃＭａｉｎＬｅｎｇｔｈは、入力主走査方向長さにコピー倍率を乗じたものであり、ＳｒｃＳｕｂＬｅｎｇｔｈは、入力副走査方向長さにコピー倍率を乗じたものである。
【００６１】
ステップＳ３００において、入力主走査方向長さ及び入力副走査方向長さは、原稿サイズ検知センサによる検知結果による情報、又はユーザーによる読み取り原稿サイズの設定による情報に基づいて決定されるものである。
【００６２】
次にステップＳ３０２へと進み、出力用紙のサイズの取得を行い、ＤｓｔＭａｉｎＬｅｎｇｔｈ及びＤｓｔＳｕｂＬｅｎｇｔｈに値が代入される。ＤｓｔＭａｉｎＬｅｎｇｔｈには、出力主走査方向長さが代入され、ＤｓｔＳｕｂＬｅｎｇｔｈには、出力副走査方向長さが代入される。ここで、これら出力主走査方向長さ及び出力副走査方向長さに係る情報は、例えば不揮発性の記憶手段などのテーブルに保持されるものを利用する。
【００６３】
次に、ステップＳ３０３において、画像回転制御を行わない場合に欠落する面積を算出し、ＤｒｏｐｐｉｎｇＡｒｅａＲｏｔｅＯｆｆに代入する。なお、欠落する面積は図１５のフローチャートに示されるサブルーチンによってなされる。このサブルーチンについては後に説明する。
【００６４】
続いてステップＳ３０４において、ＤｒｏｐｐｉｎｇＡｒｅａＲｏｔｅＯｆｆ＞０であるか否かが判定される。ステップＳ３０４の結果がＦＡＬＳＥである場合には、画像回転制御を行わなくとも欠落する画素がないということであるので、ステップＳ３０８へと進み、回転は「しない」との決定を行い、ステップＳ３０９で回転要否決定処理を終了する。
【００６５】
ステップＳ３０４の結果がＴＲＵＥである場合には、画像を回転した場合についても検討するためにステップＳ３０５へと進む。
【００６６】
続いて、ステップＳ３０３において、画像回転制御を行う場合に欠落する面積を算出し、ＤｒｏｐｐｉｎｇＡｒｅａＲｏｔｅＯｎに代入する。なお、欠落する面積は図１５のフローチャートに示されるサブルーチンによってなされる。
【００６７】
引き続き、ステップＳ３０６においては、画像回転制御を行う場合と画像回転制御を行わない場合とで欠落する面積の比較を行う。すなわち、ステップＳ３０６においては、ＤｒｏｐｐｉｎｇＡｒｅａＲｏｔｅＯｎ＜ＤｒｏｐｐｉｎｇＡｒｅａＲｏｔｅＯｆｆの判定が行われる。ステップＳ３０６における判定の結果がＴＲＵＥである場合には、画像回転制御を行う方が欠落する面積が少ない、ということとなるので、ステップＳ３０７へと進み、回転を「する」との決定を行い、ステップＳ３０９で回転要否決定処理を終了する。また、ステップＳ３０６における判定の結果がＦＡＬＳＥである場合には、画像回転制御を行わない方が欠落する面積が少ない、ということとなるので、ステップＳ３０８へと進み、回転は「しない」との決定を行い、ステップＳ３０９で回転要否決定処理を終了する。
【００６８】
次に、図１５に示す画像回転制御における回転要否決定処理のサブルーチンのフローチャートについて説明する。図１５のフローチャートにおいては、ＤｒｏｐｐｉｎｇＡｒｅａ＝（欠落面積）と定義する。ステップＳ４００において、欠落面積の算出処理が開始されると、ステップＳ４０１へと進み、ＤｒｏｐｐｉｎｇＡｒｅａに０が代入される。
【００６９】
続いてステップＳ４０２において、「ＳｒｃＭａｉｎＬｅｎｇｔｈ」、「ＳｒｃＳｕｂＬｅｎｇｔｈ」、「ＤｓｔＭａｉｎＬｅｎｇｔｈ」、「ＤｓｔＳｕｂＬｅｎｇｔｈ」の各値がセットされる。これらの各値は、ステップＳ３０１及びステップＳ３０２で設定された値が用いられる。
【００７０】
次に、ステップＳ４０３において、ＳｒｃＭａｉｎＬｅｎｇｔｈ＞ＤｓｔＭａｉｎＬｅｎｇｔｈであるかどうかが判定される。ステップＳ４０３における判定結果が、ＴＲＵＥであれば、ステップＳ４０４へと進み、ＦＬＡＳＥであれば、ステップＳ４０５へと進む。
【００７１】
ステップＳ４０４においては、ＤｒｏｐｐｉｎｇＡｒｅａ＝ＤｒｏｐｐｉｎｇＡｒｅａ＋ＳｒｃＭａｉｎＬｅｎｇｔｈ−ＤｓｔＭａｉｎＬｅｎｇｔｈ）×ＳｒｃＳｕｂＬｅｎｇｔｈが計算される。
【００７２】
次に、ステップＳ４０５において、ＳｒｃＳｕｂＬｅｎｇｔｈ＞ＤｓｔＳｕｂＬｅｎｇｔｈであるかどうかが判定される。ステップＳ４０５における判定結果が、ＴＲＵＥであれば、ステップＳ４０６へと進み、ＦＬＡＳＥであれば、ステップＳ４０７へと進む。
【００７３】
ステップＳ４０６において、ＤｒｏｐｐｉｎｇＡｒｅａ＝ＤｒｏｐｐｉｎｇＡｒｅａ＋（ＳｒｃＳｕｂＬｅｎｇｔｈ−ＤｓｔＳｕｂＬｅｎｇｔｈ）×ＳｒｃＭａｉｎＬｅｎｇｔｈが計算される。
【００７４】
次に、ステップＳ４０７において、ＳｒｃＭａｉｎＬｅｎｇｔｈ＞ＤｓｔＭａｉｎＬｅｎｇｔｈ、かつ、ＳｒｃＳｕｂＬｅｎｇｔｈ＞ＤｓｔＳｕｂＬｅｎｇｔｈが成立するかが判定される。ステップＳ４０７における判定結果が、ＴＲＵＥであれば、ステップＳ４０８へと進み、ＦＬＡＳＥであれば、ステップＳ４０９へと進み、ステップＳ４０９で処理を終了する。
【００７５】
ステップＳ４０８において、ＤｒｏｐｐｉｎｇＡｒｅａ＝ＤｒｏｐｐｉｎｇＡｒｅａ−（ＳｒｃＭａｉｎＬｅｎｇｔｈ−ＤｓｔＭａｉｎＬｅｎｇｔｈ）×（ＳｒｃＳｕｂＬｅｎｇｔｈ−ＤｓｔＳｕｂＬｅｎｇｔｈ）が計算され、続いてステップＳ４０９へと進み、ステップＳ４０９で処理を終了する。
【００７６】
以上、本発明の他の実施形態によっても、原稿画像回転機能を有する画像形成装置において、ユーザーが所望しないような回転処理を行うことがない制御を行うことができる。
【図面の簡単な説明】
【００７７】
【図１】本発明の実施の形態に係る画像形成装置（複合機）及びその周辺のシステム構成を示す図である。
【図２】本発明の実施の形態に係る画像形成装置（複合機）の画像回転制御における回転要否決定処理のフローチャートを示す図である。
【図３】本発明の実施の形態に係る画像形成装置（複合機）の画像回転制御における回転要否決定処理のサブルーチンのフローチャートを示す図である。
【図４】回転要否決定処理のサブルーチンによる欠落画素数の算出処理を具体的に説明するための図である。
【図５】回転要否決定処理のサブルーチンによる欠落画素数の算出処理を具体的に説明するための図である。
【図６】回転要否決定処理のサブルーチンによる欠落画素数の算出処理を具体的に説明するための図である。
【図７】回転要否決定処理のサブルーチンによる欠落画素数の算出処理を具体的に説明するための図である。
【図８】回転要否決定処理のサブルーチンによる欠落画素数の算出処理を具体的に説明するための図である。
【図９】回転要否決定処理のサブルーチンによる欠落画素数の算出処理を具体的に説明するための図である。
【図１０】回転要否決定処理のサブルーチンによる欠落画素数の算出処理を具体的に説明するための図である。
【図１１】回転要否決定処理のサブルーチンによる欠落画素数の算出処理を具体的に説明するための図である。
【図１２】回転要否決定処理のサブルーチンによる欠落画素数の算出処理を具体的に説明するための図である。
【図１３】Ａ４縦サイズの原稿画像を等倍でＡ３横サイズの用紙にコピーする場合の回転要否決定処理を説明するための図である。
【図１４】本発明の他の実施の形態に係る画像形成装置（複合機）の画像回転制御における回転要否決定処理のフローチャートを示す図である。
【図１５】本発明の他の実施の形態に係る画像形成装置（複合機）の画像回転制御における回転要否決定処理のサブルーチンのフローチャートを示す図である。
【図１６】原稿画像回転機能を有する画像形成装置による画像出力例を示す図である。
【図１７】原稿画像回転機能を有する画像形成装置による画像出力例を示す図である。
【図１８】原稿画像回転機能を有する画像形成装置による他の画像出力例を示す図である。
【符号の説明】
【００７８】
１０・・・ネットワーク、２０・・・電話回線、１００・・・複合機、１１０・・・制御部、１２０・・・ＦＡＸ部、１３０・・・プリンタ部、１４０・・・スキャナ部、１５０・・・操作パネル部、１６０・・・ネットワークＩ／Ｆ、１７０・・・ＵＳＢ  Ｉ／Ｆ、２００、２００’、２００’’ ・・・パーソナルコンピュータ、３００・・・外部機器
【図１】
2008177726.tif 000003
【図２】
2008177726.tif 000004
【図３】
2008177726.tif 000005
【図４】
2008177726.tif 000006
【図５】
2008177726.tif 000007
【図６】
2008177726.tif 000008
【図７】
2008177726.tif 000009
【図８】
2008177726.tif 000010
【図９】
2008177726.tif 000011
【図１０】
2008177726.tif 000012
【図１１】
2008177726.tif 000013
【図１２】
2008177726.tif 000014
【図１３】
2008177726.tif 000015
【図１４】
2008177726.tif 000016
【図１５】
2008177726.tif 000017
【図１６】
2008177726.tif 000018
【図１７】
2008177726.tif 000019
【図１８】
2008177726.tif 000020